(57)【要約】【課題】照光領域に対応した仕切壁を設けることなく分割照光ができる照光式押ボタンスイッチおよび表示装置を提供する。【解決手段】天面に照光面１ａ，１１ａを有するボタン１，１１と、このボタン１，１１の底部に配置されるレンズ３，１３と、異なる二つの波長の光を発光する一つ乃至二つの発光素子６，１６および接触機構を具備したケース５，１５と、前記発光素子６，１６と照光面１ａ，１１ａの間に異なる二つの波長の光を分割する仕切壁のないプランジャ４，１４と、前記ボタン１，１１と前記レンズ３，１３の間に配設され前記発光素子６，１６の第１波長の発光色のみを透過する第１領域２ａ，１２ａと第２波長の発光色のみを透過する第２領域２ｂ，１２ｂを有するフィルム２，１２とからなり、前記発光素子６，１６の発光色に応じて照光面１ａ，１１ａを分割して照光する。【選択図】図２
2013080572.tif 000002
【特許請求の範囲】
【請求項１】
天面に照光面を有するボタンと、該ボタンの底部に配置されるレンズと、異なる二つの波長の光を発光する一つ乃至二つの発光素子および接触機構を具備したケースと、前記発光素子と前記ボタンの照光面の間に異なる二つの波長の光を分割する仕切壁のないプランジャと、前記ボタンと前記レンズの間に配設され前記発光素子の第１波長の発光色のみを透過する第１領域と第２波長の発光色のみを透過する第２領域を有するフィルムとからなり、前記ボタンと前記レンズが嵌合されて前記フィルムが挟着され、前記レンズが前記プランジャに嵌合され、該プランジャが上下動可能に前記ケース内に配設され、前記ボタンの押圧操作に伴って前記プランジャが上下動し、該プランジャの動作に伴って前記接触機構が動作して電路が開閉され、前記発光素子は前記接触機構の動作に連動または電力供給に応じて発光色が切換えられ、該発光素子の発光色に応じて前記ボタンの照光面を分割して照光することを特徴とする照光式押ボタンスイッチ。
【請求項２】
天面に照光面を有するボタンと、該ボタンの底部に配置されるレンズと、異なる二つの波長の光を発光する一つ乃至二つの発光素子を具備したケースと、前記発光素子と前記ボタンの照光面の間に異なる二つの波長の光を分割する仕切壁のないプランジャと、前記ボタンと前記レンズの間に配設され前記発光素子の第１波長の発光色のみを透過する第１領域と第２波長の発光色のみを透過する第２領域を有するフィルムとからなり、前記ボタンと前記レンズが嵌合されて前記フィルムが挟着され、前記レンズが前記プランジャに嵌合され、該プランジャが前記ケース内に固着され、前記発光素子は電力供給に応じて発光色が切換えられ、該発光素子の発光色に応じて前記ボタンの照光面を分割して照光することを特徴とする表示装置。
【発明の詳細な説明】
【技術分野】
【０００１】
本発明は、照光式押ボタンスイッチおよび表示装置に関するものである。
【背景技術】
【０００２】
従来、２色の異なる表示が可能な照光式押ボタンスイッチとしては、透明ボタンの表示色を決定するカラーフィルターを、その一部に切欠部をもつ第１のカラーフィルターと、切欠部に接合する第２のカラーフィルターとに２分割し、プランジャー内を第２のカラーフィルターの形状に対応した光漏れのない壁で仕切ると共に、壁外に第１のカラーフィルターを介して透明ボタンを照光させる第１の光源を位置させ、壁内に第２のカラーフィルターを介して透明ボタンを照光させる第２の光源を設けた照光式押ボタンスイッチ（下記特許文献１参照）や、操作体の遮光壁とケーシングの仕切り壁によってケーシング内に隔壁部が形成され、操作体の天板部に設けられた複数の照光領域にそれぞれ光源の光が小空間を介して個別に投射されるようになっている照光式スイッチ装置（下記特許文献２参照）や、操作釦にＬＣＤ素子を配設し、ＬＣＤ素子の下方に発光体を配設して操作釦の上面の照光の色彩を分割された領域に異なった照光の色彩を行うようにした表示装置付き押釦スイッチ（下記特許文献３参照）などがあった。
【先行技術文献】
【特許文献】
【０００３】
【特許文献１】実開平５−４１０３４号
【特許文献２】特開２００９−１１７０３８号
【特許文献３】特開平６−２０５７０号
【発明の概要】
【発明が解決しようとする課題】
【０００４】
しかしながら、上記した特許文献１の照光式押ボタンスイッチおよび特許文献２の照光式スイッチ装置は、照光領域に対応した仕切壁を設け、分割された空間の間で光が漏れない構造としなければならず、仕切壁によって照光領域を分割しているため、照光領域を変更するにはスイッチの構造を変更しなければならないといった問題があった。また、上記特許文献３の表示装置付き押釦スイッチは、照光領域を分割する仕切壁を設ける必要はないが、ＬＣＤ素子が高価であるため、コストが高くなるといった問題があった。
【０００５】
そこで本発明は、上記状況に鑑みて、照光領域に対応した仕切壁を設けることなく照光面を分割して照光することができる照光式押ボタンスイッチおよび表示装置を提供することを目的とする。
【課題を解決するための手段】
【０００６】
本発明は、上記目的を達成するために、
〔１〕天面に照光面（１ａ）を有するボタン（１）と、このボタン（１）の底部に配置されるレンズ（３）と、異なる二つの波長の光を発光する一つ乃至二つの発光素子（６）および接触機構を具備したケース（５）と、前記発光素子（６）と前記ボタン（１）の照光面（１ａ）の間に異なる二つの波長の光を分割する仕切壁のないプランジャ（４）と、前記ボタン（１）と前記レンズ（３）の間に配設され前記発光素子（６）の第１波長の発光色のみを透過する第１領域（２ａ）と第２波長の発光色のみを透過する第２領域（２ｂ）を有するフィルム（２）とからなり、前記ボタン（１）と前記レンズ（３）が嵌合されて前記フィルム（２）が挟着され、前記レンズ（３）が前記プランジャ（４）に嵌合され、このプランジャ（４）が上下動可能に前記ケース（５）内に配設され、前記ボタン（１）の押圧操作に伴って前記プランジャ（４）が上下動し、このプランジャ（４）の動作に伴って前記接触機構が動作して電路が開閉され、前記発光素子（６）は前記接触機構の動作に連動または電力供給に応じて発光色が切換えられ、この発光素子（６）の発光色に応じて前記ボタン（１）の照光面（１ａ）を分割して照光することを特徴とする。
〔２〕天面に照光面（１１ａ）を有するボタン（１１）と、このボタン（１１）の底部に配置されるレンズ（１３）と、異なる二つの波長の光を発光する一つ乃至二つの発光素子（１６）を具備したケース（１５）と、前記発光素子（１６）と前記ボタン（１１）の照光面（１１ａ）の間に異なる二つの波長の光を分割する仕切壁のないプランジャ（１４）と、前記ボタン（１１）と前記レンズ（１３）の間に配設され前記発光素子（１６）の第１波長の発光色のみを透過する第１領域（１２ａ）と第２波長の発光色のみを透過する第２領域（１２ｂ）を有するフィルム（１２）とからなり、前記ボタン（１１）と前記レンズ（１３）が嵌合されて前記フィルム（１２）が挟着され、前記レンズ（１３）が前記プランジャ（１４）に嵌合され、このプランジャ（１４）が前記ケース（１５）内に固着され、前記発光素子（１６）は電力供給に応じて発光色が切換えられ、この発光素子（１６）の発光色に応じて前記ボタン（１１）の照光面（１１ａ）を分割して照光することを特徴とする。
【発明の効果】
【０００７】
本発明によれば、次のような効果を奏することができる。
（１）ケースやプランジャに仕切壁を設けることなく、フィルムを配設するだけで、ボタンの照光面を分割して照光することができる。
（２）構造を変更することなく、フィルムを入れ替えるだけで分割する領域を容易に変更することができる。
（３）フィルムを配設するだけなので、従来の照光式押ボタンスイッチや表示装置に容易に適用することができる。
（４）仕切壁などの構造での実現が困難な照光領域の形状も容易に実現することができる。
（５）分割する領域を３つ以上にする場合にも発光素子を増設する必要がない。
【図面の簡単な説明】
【０００８】
【図１】本発明の第１実施例を表す照光式押ボタンスイッチの分解斜視図である。
【図２】本発明の第１実施例を表す照光式押ボタンスイッチの断面図である。
【図３】本発明の第１実施例を表す照光式押ボタンスイッチの原理を示す図である。
【図４】本発明の第１実施例を表す照光式押ボタンスイッチの応用例を示す図である。
【図５】本発明の第２実施例を表す表示装置の分解斜視図である。
【図６】本発明の第２実施例を表す表示装置の断面図である。
【図７】本発明の第２実施例を表す表示装置の原理を示す図である。
【発明を実施するための形態】
【０００９】
本発明の照光式押ボタンスイッチおよび表示装置は、天面に照光面を有するボタンと、このボタンの底部に配置されるレンズと、異なる二つの波長の光を発光する一つ乃至二つの発光素子および接触機構を具備したケースと、前記発光素子と前記ボタンの照光面の間に異なる二つの波長の光を分割する仕切壁のないプランジャと、前記ボタンと前記レンズの間に配設され前記発光素子の第１波長の発光色のみを透過する第１領域と第２波長の発光色のみを透過する第２領域を有するフィルムとからなり、前記ボタンと前記レンズが嵌合されて前記フィルムが挟着され、前記レンズが前記プランジャに嵌合され、このプランジャが前記ケース内に配設され、前記発光素子の発光色に応じて前記ボタンの照光面を分割して照光する。
【実施例】
【００１０】
以下、本発明の実施例について、図面を参照しながら詳細に説明する。
【００１１】
図１は本発明の第１実施例を表す照光式押ボタンスイッチの分解斜視図、図２は本発明の第１実施例を表す照光式押ボタンスイッチの断面図、図３は本発明の第１実施例を表す照光式押ボタンスイッチの原理を示す図であり、図３（ａ）は第１波長の発光色の発光時を、図３（ｂ）は第２波長の発光色の発光時を示している。図４は本発明の第１実施例を表す照光式押ボタンスイッチの応用例を示す図であり、図４（ａ）は照光面を上下に分割して照光する場合を、図４（ｂ）は照光面を斜めに分割して照光する場合を示している。
【００１２】
これらの図において、１はボタン、２はフィルム、３はレンズ、４はプランジャ、５はケース、６はケース５に配設される発光素子、７はプランジャ４を上方に付勢するコイルバネである。ボタン１は、天面に照光面１ａを有する四角形状で、一方の対向する側面に嵌合孔１ｂが形成されている。フィルム２は、透光性フィルムからなり、透光性フィルムに複数のフィルタが形成され、第１波長の発光色のみを透過し他の波長の発光色を遮光するフィルタによって第１領域２ａが形成され、第２波長の発光色のみを透過し他の波長の発光色を遮光するフィルタによって第２領域２ｂが形成されている。レンズ３は、略四角形状で、一方の対向する側面に嵌合孔１ｂと嵌合する嵌合凸部３ａが形成され、他方の対向する側面にプランジャ４と嵌合する嵌合孔３ｂが形成されている。プランジャ４は、内部に仕切壁のない略筒形状で、一方の対向する側面上端部に嵌合孔３ｂと嵌合する嵌合突起４ａが形成されている。ケース５は、内部に発光素子６および接触機構（図示なし）が配設されている。
【００１３】
レンズ３の天面にフィルタ２が配置され、ボタン１の嵌合孔１ｂとレンズ３の嵌合凸部３ａが嵌合されることでフィルタ２がボタン１とレンズ３に挟着される。そして、レンズ３の嵌合孔３ｂとプランジャ４の嵌合突起４ａが嵌合され、コイルバネ７を介してプランジャ４を上下動可能にケース５に配設されることで、照光式押ボタンスイッチが完成される。
【００１４】
以上のように構成された本発明の照光式押ボタンスイッチは、図３に示すように、発光素子６から第１波長の光が発光されたときは第１領域２ａのみを透過して照光面１ａの左側半分のみを照光し、発光素子６から第２波長の光が発光されたときは第２領域２ｂのみを透過して照光面１ａの右側半分のみを照光するため、照光面１ａを照光領域に応じて分割して照光することができる。また、分割照光するための仕切壁を設けないため、フィルタ２を変更するだけで、図４に示すように、分割照光する領域を容易に変更することができる。さらに、フィルタ２で照光領域を自由に形成できるので、仕切壁などの構造で形成することが困難な形状の照光領域も容易に実現することができ、分割領域を３つ以上に増加した場合にも、発光素子を増設する必要がない。
【００１５】
このように、本実施例に照光式押ボタンスイッチは、照光領域に対応した仕切壁を設けることなく照光面１ａを分割して照光することができるという特徴を有している。
【００１６】
本実施例では、発光素子を一つとしているが、発光色の異なる二つの発光素子を設けてもよい。また、ボタンは丸形状などとしてもよく、種々の方法が考えられる。
【００１７】
図５は本発明の第２実施例を表す表示装置の分解斜視図、図６は本発明の第２実施例を表す表示装置の断面図、図７は本発明の第２実施例を表す表示装置の原理を示す図であり、図７（ａ）は第１波長の発光色の発光時を、図７（ｂ）は第２波長の発光色の発光時を示している。
【００１８】
これらの図において、１１はボタン、１２はフィルム、１３はレンズ、１４はプランジャ、１５はケース、１６はケース１５に配設される発光素子、１８はプランジャ１４の上下動を抑制するストッパである。ボタン１１は、天面に照光面１１ａを有し、一方の対向する側面に嵌合孔１１ｂが形成されている。フィルム１２は、透光性フィルムからなり、透光性フィルムに複数のフィルタが形成され、第１波長の発光色のみを透過し他の波長の発光色を遮光するフィルタによって第１領域１２ａが形成され、第２波長の発光色のみを透過し他の波長の発光色を遮光するフィルタによって第２領域１２ｂが形成されている。レンズ１３は、一方の対向する側面に嵌合孔１１ｂと嵌合する嵌合凸部１３ａが形成され、他方の対向する側面にプランジャ１４と嵌合する嵌合孔１３ｂが形成されている。プランジャ１４は、内部に仕切壁のない略筒形状で、一方の対向する側面端部に嵌合孔１３ｂと嵌合する嵌合突起１４ａが形成されている。ケース１５は、内部に発光素子１６が配設されている。
【００１９】
レンズ１３の天面にフィルタ１２が配置され、ボタン１１の嵌合孔１１ｂとレンズ１３の嵌合凸部１３ａが嵌合されることでフィルタ１２がボタン１１とレンズ１３に挟着される。そして、レンズ１３の嵌合孔１３ｂとプランジャ１４の嵌合突起１４ａが嵌合され、ストッパ１８を介してプランジャ１４がケース１５に固着されることで、表示装置が完成される。
【００２０】
以上のように構成された本発明の表示装置は、図７に示すように、発光素子１６から第１波長の光が発光されたときは第１領域１２ａのみを透過して照光面１１ａの左側半分のみを照光し、発光素子１６から第２波長の光が発光されたときは第２領域１２ｂのみを透過して照光面１１ａの右側半分のみを照光するため、照光面１１ａを照光領域に応じて分割して照光することができる。また、第１実施例と同様に、分割照光するための仕切壁を設けないため、フィルタ１２を変更するだけで、分割照光する領域を容易に変更することができる。さらに、フィルタ１２で照光領域を自由に形成できるので、仕切壁などの構造で形成することが困難な形状の照光領域も容易に実現することができ、分割領域を３つ以上に増加した場合にも、発光素子を増設する必要がない。
【００２１】
このように、本実施例に表示装置は、照光領域に対応した仕切壁を設けることなく照光面１１ａを分割照光ができるという特徴を有している。
【００２２】
本実施例では、発光素子を一つとしているが、発光色の異なる二つの発光素子を設けてもよい。また、ボタンは丸形状などとしてもよく、ストッパはプランジャと一体的に形成してもよく、種々の方法が考えられる。
【００２３】
なお、本発明は上記の実施例に限定されるものではなく、本発明の趣旨に基づき種々の変形が可能であり、これらを本発明の範囲から排除するものではない。
【産業上の利用可能性】
【００２４】
本発明の照光式押ボタンスイッチおよび表示装置は、照光面を分割して照光することができる照光式押ボタンスイッチおよび表示装置として利用可能である。
【符号の説明】
【００２５】
１，１１                                      ボタン
１ａ，１１ａ                                  照光面
１ｂ，１１ｂ，３ｂ，１３ｂ                    嵌合孔
２，１２                                      フィルタ
２ａ，１２ａ，２２ａ，３２ａ，４２ａ，５２ａ  第１領域
２ｂ，１２ｂ，２２ｂ，３２ｂ，４２ｂ，５２ｂ  第２領域
３，１３                                      レンズ
３ａ，１３ａ                                  嵌合凸部
４，１４                                      プランジャ
４ａ，１４ａ                                  嵌合突起
５，１５                                      ケース
６，１６                                      発光素子
７                                            コイルバネ
１８                                          ストッパ
【図１】
2013080572.tif 000003
【図２】
2013080572.tif 000004
【図３】
2013080572.tif 000005
【図４】
2013080572.tif 000006
【図５】
2013080572.tif 000007
【図６】
2013080572.tif 000008
【図７】
2013080572.tif 000009